(57)【要約】【課題】三脚固定用の雌ネジを備えていないカメラに三脚を取付ける。【解決手段】ハンドル３１を回転させて押圧シャフトの他方の端部を上方の退避位置へ移動させる。アダプタ本体２５に設けられた凹部２１側からストラップ１５の把持部１７を挿通穴２６に挿通させ、反対側の側面から突出した把持部１７を矢印の方向へ引っ張り出す。把持部１７を引っ張ったまま紐部１６に弛みが生じないようにテンションを張った状態で、アダプタ本体２５をカメラ本体３へ押し付けながら押圧シャフト２７を固定位置まで移動させて紐部１６を固定面２７ａと挿通穴２６の内壁面とで固定する。【選択図】        図２
2004233681.tif 000002
【特許請求の範囲】
【請求項１】
携帯用のストラップが取付けられたカメラに使用する三脚用アダプタにおいて、
三脚固定用の雌ネジを設けたアダプタ本体をカメラ本体に接触させ、前記ストラップをアダプタ本体方向へ引っ張り、アダプタ本体とカメラ本体との間でストラップが弛まないようにテンションを張った状態でストラップを保持することにより、アダプタ本体をカメラ本体に固定する固定手段を備えたことを特徴とする三脚用アダプタ。
【請求項２】
前記アダプタ本体と固定手段とが一体に形成されていることを特徴とする請求項１記載の三脚用アダプタ。
【請求項３】
前記アダプタ本体の光軸方向の厚さがカメラ本体の厚さよりも厚く、前記アダプタ本体がカメラのグリップとなることを特徴とする請求項１または２記載の三脚用アダプタ。
【発明の詳細な説明】
【０００１】
【発明の属する技術分野】
本発明は、カメラに取り付ける三脚用アダプタに関するものである。
【０００２】
【従来の技術】
【特許文献１】
特開２０００−３２１６５５号公報
【特許文献２】
特開２００２−１９６４１２号公報
【０００３】
近年、携帯機器の小型化、軽量化が望まれている。携帯機器の一つであるカメラにおいても高機能化が進む一方でカメラ本体の小型化、軽量化が要求されているものもある。そのため、コンパクトタイプのカメラではカメラ本体内での電子部品等の設置スペースをできるだけ確保するために、三脚固定用の雌ネジが設けられた三脚取付け部材を備えていないカメラもある。
【０００４】
また、カメラの持ち運びを容易にし、かつ撮影操作への迅速な移行を可能とするため、ストラップをカメラ本体に取り付けて使用することが多い。そのため前掲の特許文献１には、カメラ本体に取り付けられたストラップの端部に止め螺子を設けて、カメラ本体に設けられた三脚用の雌螺子に止め螺子を螺合させることで、撮影の際にカメラ本体を把持するためのハンドベルトとしてストラップを使用することが記載されている。また、特許文献２にはストラップの紐部材に台座部と複数の円管を挿入させておき、台座部に円管を固着させて三脚の脚部として、台座部をカメラ本体に設けられた三脚雌ネジに螺着することでストラップをカメラの三脚として使用することが記載されている。
【０００５】
【発明が解決しようとする課題】
しかしながら、上述の三脚固定用の雌ネジを備えていないコンパクトタイプのカメラでセルフタイマ撮影や長時間露光を行うスローシャッタ撮影を行う際には三脚を使用する必要がある。また、特許文献１及び２では、カメラ本体に三脚固定用の雌ネジが設けられていなければならない。また、三脚固定用の雌ネジが備えられていないコンパクトタイプのカメラは、カメラ本体が小さいため撮影時のホールド性が悪いという問題もある。
【０００６】
本発明は、上記問題点を解決するためになされたものであり、カメラ本体に三脚固定用の雌ネジが備えられていないカメラに三脚を取り付け、カメラを把持して撮影を行う際にはカメラのグリップとなる三脚用アダプタを提供することを目的とする。
【０００７】
【課題を解決するための手段】
上記目的を解決するために、携帯用のストラップが取付けられたカメラに使用する三脚用アダプタにおいて、三脚固定用の雌ネジを設けたアダプタ本体をカメラ本体に接触させ、ストラップをアダプタ本体方向へ引っ張り、アダプタ本体とカメラ本体との間でストラップが弛まないようにテンションを張った状態でストラップを保持することにより、アダプタ本体をカメラ本体に固定する固定手段を備えたものである。なお、アダプタ本体と固定手段とが一体に形成されていてもよい。
【０００８】
アダプタ本体の光軸方向の厚さがカメラ本体の厚さよりも厚く、アダプタ本体がカメラのグリップとなるものである。
【０００９】
【発明の実施の形態】
図１に本発明を適用したデジタルカメラの外観を示す。デジタルカメラ２は使用者の洋服等のポケットに入れて携帯できる小型化、軽量化されたコンパクトタイプのデジタルカメラである。
【００１０】
デジタルカメラ２の前面には、撮影レンズ５が組み込まれたレンズ鏡筒６、ファインダ７、被写体に向けてストロボ光を照射するストロボ発光部９が設けられている。レンズ鏡筒６はデジタルカメラ２の電源がオフの時には、デジタルカメラ２内部に設けられた鏡筒収納部１０内に収納され、電源オンと共にデジタルカメラ２の前面から突出する。また、上面にはシャッターボタン１３が設けられており、一側面にはストラップ１５と三脚用アダプタ２０を備えている。なお、デジタルカメラ２は小型で軽量化されているために、通常、カメラ本体３の底面に設けられている三脚固定用の雌ネジは備えられていない。
【００１１】
図２にも示すように、ストラップ１５は紐部１６の一方の端部と把持部１７の一方の端部がジョイント部１８で連結されており、紐部１６のループ部が、カメラ本体３に形成されたストラップ固定具１９に巻き付けられてデジタルカメラ２に固定されている。使用者はストラップ１５の把持部１７を把持してデジタルカメラ２を携帯する。
【００１２】
三脚用アダプタ２０は、アダプタ本体２５、挿通穴２６、押圧シャフト２７等から構成されている。アダプタ本体２５の底面には三脚固定用の雌ネジ３５が設けられている。カメラ本体３と接触させる一方の側面にはストラップ固定具１９を収める凹部２１が形成されており、この凹部２１の上下にはアダプタ本体２５をカメラ本体３と接触させる時の接触面２５ａを有している。そして、凹部２１内でストラップ固定具１９に対向する位置には、凹部２１側から他方の側面側にまで貫通している挿通穴２６が形成されている。この挿通穴２６はカメラ本体３のストラップ固定具１９に固定されているストラップ１５を他方の側面側へ挿通させるためのもので、ストラップ１５のジョイント部１８が挿通可能な大きさを有している。
【００１３】
三脚用アダプタ２０をカメラ本体３に固定する固定手段として、押圧シャフト２７と軸受穴２８がアダプタ本体２５に設けられている。軸受穴２８はアダプタ本体２５の上面から挿通穴２６にかけて形成されている。この軸受穴２８の一部には雌ネジ２９が形成されている。押圧シャフト２７は棒状のシャフト３０の一方の端部に押圧シャフト２７を回転させるためのハンドル３１が設けられており、アダプタ本体２５の上面側で露呈している。また、押圧シャフト２７の他方の端部は、ストラップ１５を固定するための固定面２７ａを有している。この固定面は紐部１６を確実に固定するために適度な摩擦を有している方がよい。そして、ハンドルの下側からシャフトのほぼ中央部にかけて、軸受穴２８に形成された雌ネジ２９に螺合する雄ネジ３２が形成されており、ハンドル３１を回転させることで押圧シャフト２７の固定面２７ａを有する他方の端部が挿通穴２６から退避する退避位置と、ストラップ１５を固定する固定位置との間で上下に移動自在である。
【００１４】
三脚用アダプタ２０をデジタルカメラ２に固定する固定方法を説明する。押圧シャフト２７のハンドル３１を左回りに回転させて、押圧シャフト２７の他方の端部を上方の退避位置へ移動させる。そして、アダプタ本体２５に設けられた凹部２１側からストラップ１５の把持部１７を挿通穴２６に挿通させる。アダプタ本体２５に設けられた凹部２１の反対側の側面から突出した把持部１７を矢印の方向へ引っ張り出す。把持部１７を引っ張ったまま紐部１６に弛みが生じないようにテンションを張った状態で、アダプタ本体２５をカメラ本体３へ押し付けながら押圧シャフト２７を右回転させて、固定面２７ａを有する他方の端部を固定位置まで移動させてる。これにより、紐部１６は固定面２７ａと挿通穴２６の内壁面とで固定される。この時、ストラップ固定具１９と固定面２７ａと挿通穴２６の内壁面で固定された紐部は、テンションが張った状態なのでアダプタ本体２５をカメラ本体３にしっかりと固定することができる。
【００１５】
上記構成の作用について説明する。三脚固定用の雌ネジを備えていないコンパクトタイプのデジタルカメラ２には、カメラ本体３の側面に設けられたストラップ固定具１９にストラップ１５が固定されている。三脚用アダプタ２０に設けられている押圧シャフト２７を退避位置へ移動させ、アダプタ本体２５に設けられた凹部２１側からストラップ１５の把持部１７を挿通穴２６へ挿通させる。挿通穴２６へ挿通させた把持部１７を凹部２１の反対側から引っ張り出す。アダプタ本体２５をカメラ本体３に押し付けながら、紐部１６が弛まないようにテンションを張った状態で押圧シャフト２７を固定位置へ移動させて紐部１６を固定する。これにより、アダプタ本体２５がカメラ本体３に固定される。
【００１６】
三脚用アダプタ２０を固定したデジタルカメラ２によって、セルフタイマ撮影やスローシャッタ撮影を行う際には、図３に示すように、三脚用アダプタ２０に設けられた雌ネジ３５を三脚３８に設けられた固定用の雄ネジに螺合させてデジタルカメラ２を三脚３８に固定して撮影を行う。
【００１７】
また、図４に示すように、使用者がデジタルカメラ２を把持して撮影を行う際には、デジタルカメラ２に固定された三脚用アダプタ２０の光軸方向の厚みがデジタルカメラ２の厚みよりも厚いので、三脚用アダプタ２０をカメラのグリップとして利用する。この時、デジタルカメラ２の落下防止のために、ストラップ１５の把持部１７を手首にかけて撮影を行うことが好ましい。
【００１８】
なお、固定手段としては押圧シャフト２７と軸受穴２８にネジを設けてストラップ１５の紐部１６を固定したが、バネによる付勢力や弾性部材を弾性変形させることで紐部１６を固定してもよい。
【００１９】
また、本実施形態の三脚用アダプタ２０は三脚用の雌ネジ３５を設けたアダプタ本体２５に固定手段を一体に設けたが、固定手段をアダプタ本体２５とは別に設けてもよい。
【００２０】
【発明の効果】
以上のように、本発明によれば、三脚固定用の雌ネジが設けらたストラップ本体とカメラ本体の間でストラップのテンションを張った状態で保持し、ストラップ本体とカメラ本体を固定したので、カメラ本体に三脚固定用の雌ネジを備えていないカメラに三脚を取り付けることができる。
【００２１】
また、アダプタ本体の光軸方向の厚みがカメラの厚みより厚いため、カメラを把持して撮影を行う際にはアダプタ本体をカメラのグリップとして使用することでカメラのホールド性を良くすることができる。
【図面の簡単な説明】
【図１】三脚用アダプタを固定したデジタルカメラの外観斜視図である。
【図２】三脚用アダプタの断面図である。
【図３】三脚用アダプタを固定したデジタルカメラを三脚に取り付けた説明図である。
【図４】三脚用アダプタをカメラのグリップとした説明図である。
【符号の説明】
２  デジタルカメラ
１５  ストラップ
１６  紐部
１７  把持部
１８  ジョイント部
２０  三脚用アダプタ
２５  アダプタ本体
２６  挿通穴
２７  押圧シャフト
３５  三脚固定用の雌ネジ
【図１】
2004233681.tif 000003
【図２】
2004233681.tif 000004
【図３】
2004233681.tif 000005
【図４】
2004233681.tif 000006